(57)【要約】      （修正有）【課題】軽量で持ち運びが容易な小型かつ低電圧印加による駆動を可能とし、さらにアース構造を不要とした携帯型害虫誘引捕捉装置を提供する。【解決手段】複数の誘電被覆体１１がポリ塩化ビニル（ＰＶＣ）製筒状体１０に沿って一定の間隔で並列し、円筒状の金属ネット１２で被覆され、該誘電被覆体とこれを覆う金属ネットは、把手１５に内蔵されたＤＣ電圧源（乾電池）１６に接続され、静電場は、誘電被覆体と金属ネットとの異なる正負帯電間に形成される。誘電被覆体と金属ネットとの間隔は、スペーサを据えることにより固定され、アース無接地回路の構造を備える。【選択図】図１
2016220629.tif 000002
【特許請求の範囲】
【請求項１】
負極端子に接続して形成した負極導電体について少なくともその一部の表面を絶縁体で被覆した誘電被覆体と、
前記誘電被覆体に対して所定間隔を維持して対向するように配置され、前記誘電被覆体からの電界を受けて帯電する導電体と、
電圧源と、
前記負極端子に負電位を与える負電圧印加手段と、
前記誘電被覆体と前記導電体と前記電圧源と前記負電圧印加手段を支持する支持体と、
前記導電体と前記負電圧印加手段の高電位側端子とを接続する接続線を設けたアースレス構造と、
前記導電体と前記誘電被覆体とを対向させて両者間に生じる電位差により形成される連続した電場を用いて害虫を捕捉する害虫捕捉部を備えた携帯型害虫誘引捕捉装置。
【請求項２】
前記支持体が棒状体であり、前記誘電被覆体が前記支持体の外周に形成され、前記導電体が前記誘電被覆体の外周に所定間隔を開けて形成され、全体が棒状をなし、
前記導電体が前記害虫を内部に通過させる多数の孔または溝である害虫通過部を備え、前記通過部を通過した前記害虫が、前記導電体と前記誘電被覆体の間に形成されている前記害虫捕捉部により捕捉される請求項１に記載の携帯型害虫誘引捕捉装置。
【請求項３】
前記支持体が板状体であり、前記誘電被覆体が前記支持体の表面に形成され、前記導電体が前記誘電被覆体の表面に所定間隔を開けて形成され、全体が板状体をなし、
前記導電体が前記害虫を内部に通過させる多数の孔または溝である害虫通過部を備え、前記通過部を通過した前記害虫が、前記導電体と前記誘電被覆体の間に形成されている前記害虫捕捉部により捕捉される請求項１に記載の携帯型害虫誘引捕捉装置。
【請求項４】
前記誘電被覆体と前記導電体との間隙に絶縁体のスペーサを配設することにより前記所定の間隔を維持するように構成されることを特徴とする請求項１ないし３のいずれかに記載の携帯型害虫誘引捕捉装置。
【請求項５】
前記負電圧印加手段の前記誘電被覆体への負電圧印加により前記導電体から汲み出された電子を前記アースレス構造の前記接続線を介して前記負電圧印加手段側に移動させ、当該電子を前記負電圧印加手段の負電圧印加された前記誘電被覆体に与える構造とし、アースを介した電子移動を不要としたことを特徴とする請求項１ないし４のいずれかに記載の携帯型害虫誘引捕捉装置。
【請求項６】
負極端子に接続して形成した負極導電体について少なくともその一部の表面を絶縁体で被覆した誘電被覆体と、
前記誘電被覆体に対して所定間隔を維持して対向するように配置され、前記誘電被覆体からの電界を受けて帯電する導電体と、
電圧源と、
前記負極端子に負電位を与える負電圧印加手段と、
前記誘電被覆体と前記導電体と前記電圧源と前記負電圧印加手段を支持する支持体と、
前記導電体と前記負電圧印加手段の高電位側端子とを接続する接続線を設けたアースレス構造と、
前記導電体と前記誘電被覆体とを対向させて両者間に生じる電位差により形成される連続した電場を提供する携帯型静電場スクリーン発生装置。
【発明の詳細な説明】
【技術分野】
【０００１】
本発明は、静電場を発生させて形成した静電場スクリーン（静電場の幕）の原理を適用し、害虫を捕捉するための持ち運びができる携帯型害虫誘引捕捉装置に関する。
【背景技術】
【０００２】
一般に、トマトの水耕栽培は温室で周年行われることが多いが、トマトは病原菌の感染及び／又は害虫の攻撃から頻繁に損害を受けている。害虫由来のウィルスによる感染はトマトに深刻な損害をもたらしうるが、特に、コナジラミによって運ばれるトマト黄化葉巻ウィルス（ＴＹＬＣＶ）は、高温時期に最も深刻な脅威を示す。また、モモアカアブラムシによって運ばれるキュウリモザイクウィルス（ＣＭＶ）や、ミカンキイロアザミウマによって運ばれるトマト黄化萎縮ウィルス（ＴＳＷＶ）も発生が確認されることもある。さらに、水耕栽培溶液に浸漬したスポンジ体の藻類の菌叢に居住し増殖するミギワバエは、萎凋病菌、根腐萎ちょう病菌等の根圏病原体を伝染することがわかっている。また、温室トマトには、空中を浮遊するうどんこ病菌、灰色カビ病菌、葉かび病菌等の分生胞子も脅威を有する。実際、特に、温室トマトは、年中、うどんこ病にかかってきた。これらの病原体伝播害虫や分生胞子の絶え間ない襲来は、温室に侵入する害虫や病原菌の広い範囲で処理する効果的な保護方策を必要としている。
【０００３】
この問題を解決するため、本願発明者等は、静電場スクリーン技術を開発した。静電場スクリーンとは、金属導電体に直流高電圧を印可し電極を覆う絶縁体表面に静電気を発生させ、帯電している昆虫、塵埃等を静電気の力で絶縁体にて捕捉する装置をいう。図１３は、静電場スクリーン発生装置００の構造を簡単に説明する図である。図１３に示すように、静電場スクリーン発生装置００は、絶縁樹脂からなる誘電体で被覆した誘電被覆体を数ｍｍ乃至数ｃｍの間隔で平行に配置した電極群０１と、正電位を印加する正電位印加装置０３と、負電位を印加する負電位印加装置０４と、アース電極０２から構成されている。なお、ここでは、この電極群０１を“静電キャッチャー”と呼ぶ。
アース電極０２は、静電キャッチャー０１への人体の接触防止、電極の保護、害虫付着の制限（忌避作用）の役割を担っており、静電場はこの静電キャッチャー０１の誘電被覆体間に発生する。静電キャッチャー０１へ入り込んだ昆虫、塵埃等は帯電し、強力なクーロン力により静電キャッチャー０１に引き寄せて捕捉される。
【０００４】
なお、本願発明者は、静電場スクリーン発生装置について以上のような発明を提案しているが、大きくは二つに分類することができる。
第一は、静電キャッチャーが単極の場合である。単極の場合は、従来技術では静電キャッチャーとアース電極は必須とされており、静電キャッチャーとアース電極１枚、又は静電キャッチャーとその両側にアース電極２枚を配置する構成例などがあった。
第二は、静電キャッチャーが二極の場合である。二極の場合は、プラス極とマイナス極とを交互に配置することになるが、この場合は電場構成に特にアース電極は必要ではない。しかし、安全性を担保するため、さらに静電キャッチャー部分への昆虫等の付着制御のためにアース電極を一面若しくは二面（両側に）配置することが望まれる。
【０００５】
本発明は、前述した発明のうち、静電キャッチャーが二極のＳＤ（Single-charged dipolar）スクリーンを利用することにある。本願発明者等は、害虫は静電場を忌避するため、温室の窓にＳＤスクリーンを取り付けることで害虫を撃退したことを証明した。事実、ＳＤスクリーンは害虫を捕捉し撃退することができた。また、この実験において、我々は、窓に取り付けられたＳＤスクリーンの撃退機能を確認するために温室評価法を設計した。すなわち、トマト黄化葉巻ウィルス（ＴＹＬＣＶ）を運搬するバイオタイプ−Ｑのコナジラミの蔓延に関して、この評価法を使用して、温室トマトにおけるトマト黄化葉巻ウィルス（ＴＹＬＣＶ）の典型的な症状の出現を監視することは有効である。この評価法を通じて、窓に取り付けられたＳＤスクリーンは、窓を介して温室に入ってくる外部のコナジラミを排除することは明らかである。しかしながら、保護が効果的であるとしても、ハウスの入口の防護不足により不完全であることが判明した。すなわち、作業員が出入りの際入口扉から害虫は侵入するのである。
【発明の開示】
【発明が解決しようとする課題】
【０００６】
このような作業員が出入りの際入口扉から侵入する害虫について、従来では、殺虫剤、防虫剤、防カビ剤、殺菌剤など薬効を持つ薬品を塗布したり散布したりする対策が一般に行われてきた。しかし、近年、安全意識の高まりから、農作物に対して農薬の使用削減や、無農薬栽培が盛んになってきており、農薬を使用しない或いは少量の使用で効果がある病虫害対策が望まれている。また、殺虫スプレー剤等の薬剤は人体に吸収され得るため、薬害のおそれも否定できない。さらに、小型掃除機のような集塵装置は、吸引力によっては、害虫のみならず植物の葉そのものを吸い込む可能性もあり、吐出する風により枝葉が折れることや熱風による温室内の温度上昇も危惧される。また、装置を製造する場合、回収タンクのスペース等を考慮すると、小型化するにも限界がある。
【０００７】
一方、家庭内でもダニ対策が強く要望されている。ダニは多くの種類があるが、家の中にいるダニのほとんどはチリダニ又はヒョウヒダニという種類で、生きているダニはもちろん死骸やフンでもアレルギーの原因となりうる。体長は０．２ｍｍから０．５ｍｍと小さく、乳白色のため、肉眼ではほとんど見ることはできない。アレルギー性ぜん息やアトピーの症状をもつ人の７０〜８０％はダニ・ハウスダストが原因と言われており、これらのダニアレルギー対策は大変重要となっている。しかし、対策の基本はダニやそのアレルゲンを取り除くことであるものの、肉眼でほとんど見ることができないことからダニ除去の有効対策はないも同然である。
【０００８】
そこで、上記問題に鑑み、本発明は、静電場スクリーンの原理を適用し、温室内や家庭屋内に入り込んでしまった害虫等に対してかざすことによって捕捉することができ、小型、低電圧駆動、アース構造を不要として携帯型とした、携帯型害虫誘引捕捉装置を提供することを目的とする。
【課題を解決するための手段】
【０００９】
上記目的を達成するため、本発明の携帯型害虫誘引捕捉装置は、負極端子に接続して形成した負極導電体について少なくともその一部の表面を絶縁体で被覆した誘電被覆体と、前記誘電被覆体に対して所定間隔を維持して対向するように配置され、前記誘電被覆体からの電界を受けて帯電する導電体と、電圧源と、前記負極端子に負電位を与える負電圧印加手段と、前記誘電被覆体と前記導電体と前記電圧源と前記負電圧印加手段を支持する支持体と、前記導電体と前記負電圧印加手段の高電位側端子とを接続する接続線を設けたアースレス構造と、前記導電体と前記誘電被覆体とを対向させて両者間に生じる電位差により形成される連続した電場を用いて害虫を捕捉する害虫捕捉部を備えたことを特徴とする。
【００１０】
また、バリエーションとして、前記支持体が棒状体であり、前記誘電被覆体が前記支持体の外周に形成され、前記導電体が前記誘電被覆体の外周に所定間隔を開けて形成され、全体が棒状をなし、前記導電体が前記害虫を内部に通過させる多数の孔または溝である害虫通過部を備え、前記通過部を通過した前記害虫が、前記導電体と前記誘電被覆体の間に形成されている前記害虫捕捉部により捕捉されるようにした棒状の携帯型害虫誘引捕捉装置がある。
【００１１】
また、別のバリエーションとして、前記支持体が板状体であり、前記誘電被覆体が前記支持体の表面に形成され、前記導電体が前記誘電被覆体の表面に所定間隔を開けて形成され、全体が板状体をなし、前記導電体が前記害虫を内部に通過させる多数の孔または溝である害虫通過部を備え、前記通過部を通過した前記害虫が、前記導電体と前記誘電被覆体の間に形成されている前記害虫捕捉部により捕捉されるようにした平板状の携帯型害虫誘引捕捉装置がある。
【００１２】
なお、誘電被覆体と導電体との間隙に絶縁体のスペーサを配設することにより所定の間隔を維持するように構成すると好適である。
【００１３】
さらに、導電体から負電圧印加手段の低電位側端子と高電位側端子とを接続する接続線を設けたアースレス構造を備えると、屋外や家庭での使用において便利である。これは、負電圧印加手段の誘電被覆体への負電圧印加により導電体から汲み出された電子を、アースレス構造の接続線を介して負電圧印加手段側に移動させ、当該電子を負電圧印加手段の負電圧印加された誘電被覆体に与える構造とし、アースを介した電子移動を不要とするものである。
【００１４】
導電体は網状であるのが好ましいが、所望の複数の孔や溝が穿っていればよい。したがって、金属板をパンチング加工金型やレーザー加工で孔を穿って形成したり、紙や樹脂素材に導電性インクや導電性ペーストを印刷したりすることにより得た導電シートに孔を穿って形成したりすることができる。このような方法でより軽量化と低コストを図ることができる。
【発明の効果】
【００１５】
本発明の携帯型害虫誘引捕捉装置によれば、静電場スクリーンの原理を適用し、温室内や家庭屋内に入り込んでしまった害虫等に対してかざすことによって捕捉することができる。電圧源とネットの両方からの接地線を除去したため、軽量で持ち運びができるという効果がある。携帯型害虫誘引捕捉装置を葉に沿って滑らせるだけで、葉上の害虫は携帯型害虫誘引捕捉装置に誘引されるので、作業者は容易に操作でき、操作負担の軽減が図れるという効果がある。ひいては、入口から侵入する害虫を捕捉し、その出現ならびにハウス内の植物のウィルス疾患の蔓延を極小化できるという効果がある。実際に、本願発明者等は、直接的な捕捉方法が、コナジラミのほとんどがトマトの葉の裏面に静止していることから、ハウス内に侵入するコナジラミを採集することに効果的であることを期待している。
さらに、温室やコンテナ等において静電場スクリーン装置は通風性が求められるが、本発明の携帯型害虫誘引捕捉装置においては通風性が必要でないため、構造をより簡素化できコストの軽減を図ることができる。
【図面の簡単な説明】
【００１６】
【図１】本発明の携帯型害虫誘引捕捉装置１の外観構成を簡単に示す分解斜視図である。
【図２】本発明の携帯型害虫誘引捕捉装置１の組立後の外観構成を示す斜視図である。
【図３】図２のＡ−Ａ端面図である。
【図４】本発明の携帯型害虫誘引捕捉装置１の電気回路を含めた基本的構成を簡単に示す図である。
【図５】本発明の携帯型害虫誘引捕捉装置１の使用方法を簡単に示す図である。
【図６】本発明の携帯型害虫誘引捕捉装置１の使用において、害虫が当該装置に誘引捕捉する様子を示す図である。
【図７】本発明の携帯型害虫誘引捕捉装置２の組立後の外観構成を示す斜視図である。
【図８】本発明の携帯型害虫誘引捕捉装置２の外観構成を簡単に示す分解斜視図である。
【図９】本発明の携帯型害虫誘引捕捉装置２の電気回路を含めた基本的構成を簡単に示す図である。
【図１０】本発明の携帯型害虫誘引捕捉装置２の使用方法を簡単に示す図である。
【図１１】本発明の携帯型害虫誘引捕捉装置２の使用において、害虫が当該装置に誘引捕捉する様子を示す図である。
【図１２】公知技術での静電場スクリーン発生装置の静電場及び静的電場の形成を簡単に説明する図である。
【図１３】静電場スクリーン発生装置００の構造を簡単に説明する図である。
【発明を実施するための最良の形態】
【００１７】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明の技術的範囲は以下の実施形態に示した具体的な用途や形状・寸法などには限定されるものではない。以下、図面を参照しつつ、本発明の静電場スクリーン発生装置の実施形態を説明する。
【００１８】
本発明は、本願発明者が以前に開発した、特にＳＤ−スクリーン（単印加・双極型静電場スクリーン）と呼ばれる静電場スクリーン発生装置の原理を利用してさらに改良し発明に至ったものである。実施例を説明する前に、図１２を参照しながら、公知技術（特許第５２５２４４９号）に示されるＳＤ−スクリーンの原理について説明する。被覆体０１は、軟質塩化ビニル０１ｂに鉄棒０１ａを通して作製される。この被覆体１の片側には、ステンレス製のアース網（アース電極）０２がある。被覆体０１とアース網０２（アース電極）の間隔は３ｍｍとして、各層面が平行になるように配置する。まず、被覆体０１に電圧を印加すると各被覆体の周りに静電場が形成される。この静電場にアース網０２（アース電極）を挿入するのである。そうすると、例えば被覆体０１にマイナス電圧を印加すると、アース網０２（アース電極）の被覆体に対向する側がプラスに分極する。すなわち、静電場にアース網０２（アース電極）を挿入することにより、静電場空間に正負一対の電極を作り、静電場の内部に電場（以下、「静的電場」という。）を形成させるのである。この静的電場には、常に可動電荷をマイナス極（被覆体０１）からプラス極（アース網０２）に押しやる力が働き、虫等が入ると虫等の持つ電荷が押し出され、押し出された電荷はアース網０２（アース電極）に吸収される。そうすると、電荷を奪われた虫等はプラスに帯電し、マイナス極（被覆体０１）に強く誘引・捕捉される原理である。本発明の携帯型害虫誘引捕捉装置１、２は、上述の原理を利用して、軽量化ならびにコストの低減化を図ることを目的として提案されていることが理解されるであろう。
【実施例１】
【００１９】
実施例１に係る携帯型害虫誘引捕捉装置１は、外観がスティック型の形状としている。以下、図面に基づき説明する。図１は、本発明の携帯型害虫誘引捕捉装置１の外観構成を簡単に示す分解斜視図であり、図２は、その組立後の外観構成を示す斜視図である。携帯型害虫誘引捕捉装置１は、概して、筒状体１０と、筒状体１０の外環の長さ方向に一定の間隔で並列して配置された複数の誘電被覆体１１ａ、１１ｂ、１１ｃ、１１ｄ、１１ｅ、１１ｆ、１１ｇ、１１ｈと、複数の誘電被覆体１１ａ、１１ｂ、１１ｃ、１１ｄ、１１ｅ、１１ｆ、１１ｇ、１１ｈに対して所定の間隔を維持して対向するように外環に被覆する網状の導電体１２と、電圧源１６と、電圧源１６を内蔵する把手１５とから構成される。
筒状体１０は、携帯型害虫誘引捕捉装置１の芯となる部分である。
誘電被覆体１１は負極端子に接続して形成した負極導電体について少なくともその一部の表面を絶縁体で被覆されており、さらに隣接する誘電被覆体１１は互いに接続されている。
導電体１２は、誘電被覆体１１からの電界を受けて帯電する。なお、導電体１２は、複数の誘電被覆体１１に対して所定の間隔１３を維持して対向するように外環に被覆している。所定の間隔を維持するためスペーサ１４を上記所定の間隔１３に配設してもよい。
把手１５は、電圧源１６を内蔵し、負極端子に負電位を与える負電圧印加手段１７を内蔵し、対向し合う正電位の導電体１２と負電位の誘電被覆体１１との間に電位差により連続した電場を形成する。
【００２０】
誘電被覆体１１を作るために、鉄製導線（長さ５０ｃｍ、直径２ｍｍ）がポリ塩化ビニル管（厚さ１ｍｍ）に挿通される。なお、これに限定されず、誘電被覆体１１は、基体としての鉄、銅、アルミニウム、又はステンレスに、絶縁体、例えば、ポリエチレン、塩化ビニル、アクリル、ナイロン、又はポリスチレンを被覆するとよい。なお、絶縁体は、体積抵抗値が１．０×１０９~１０Ωであると好適であるが、所望の体積抵抗値を得るために絶縁体の中又は表面に塗布する帯電防止剤の添加量を制御するとよい。帯電防止剤としては、主に界面活性剤が利用され、例えば非イオン性界面活性剤のエーテル型のポリオキシエチレンアルキルエーテルやポリオキシエチレンアルキルフェニルエーテルを利用できる。また、帯電防止剤の代わりに可塑剤を用いてもよい。可塑剤は、一般的に塩化ビニルを中心とした絶縁体に柔軟性を与える目的で使用され、酸とアルコールから合成される化合物である。可塑剤の表面抵抗値は塩化ビニル単体の表面抵抗値よりも低いため、塩化ビニルに可塑剤を添加することで、軟質塩化ビニルとしての表面抵抗値を下げることができる。つまり可塑剤は、柔軟性を与えるという本来の目的以外にも帯電防止効果も持っているので、可塑剤の添加量を制御することで、絶縁体の表面抵抗値を所望の値に設定することができるのである。絶縁体が塩化ビニルの場合、可塑剤としては、例えばフタル酸エステルのフタル酸ビスやフタル酸ジイソノニルを利用することができる。
【００２１】
図３を参照する。図３は、図２のＡ−Ａ端面図である。実施例１においては、八本の誘電被覆体１１ａ、１１ｂ、１１ｃ、１１ｄ、１１ｅ、１１ｆ、１１ｇ、１１ｈを、硬質ポリ塩化ビニルを材料とする筒状体１０（直径３ｃｍ）の外側に筒状体１０に沿って巻かれた両面粘着テープにより一定の間隔で配設されている。なお、誘電被覆体１１の数量は所望の数を採用することができる。誘電被覆体１１と網状の導電体１２との離間距離１３は、スペーサ１４（その間隔と同一厚さのシリコーン片）を据えることにより３ｍｍで固定するとよい。該離間距離１３は任意に定めることができるが、該離間距離１３を縮めることにより静的電場の電場強度が増大し、低い電圧域で構造電流を発生させることが可能になる。なお、誘電被覆体１１と網状の導電体１２のいずれの先端もシリコーン製のシールキャップ１８、１９で密封するとよい。
【００２２】
図４を参照する。図４は、本発明の携帯型害虫誘引捕捉装置１の電気回路を含めた基本的構成を簡単に示す図である。図４では内部の構造が分かりやすいように、本発明を理解する上で必要な部材のみを図示しており、他の一部の部材については図示していない場合もある。誘電被覆体１１ａ、１１ｂ、１１ｃ、１１ｄ、１１ｅ、１１ｆ、１１ｇ、１１ｈは互いに接続されるとともに負極に接続され、網状の導電体１２は、把手１５に内蔵されたＤＣ電圧源１６の正極に接続される。電圧源１６は把手１５に内蔵され、直列に接続された二個の１．５Ｖアルカリ電池で動作する。絶縁カバーを誘電化するために誘電被覆体１１はマイナスに、対面する導電体１２の対面側をプラスに、絶縁管の外面をマイナスに帯電される。静電誘導の結果、マイナスに帯電した誘電被覆体１１の表面は、誘電被覆体１１の側面においてプラスに帯電するために、導電体１２を分極する。すなわち、電場は、誘電被覆体１１と導電体１２との異なる正負帯電間に形成される。
【００２３】
実施例１において、誘電被覆体１１は０．５〜１０ｋＶでマイナスに帯電される。機械的な放電（誘電被覆体１１から導電体１２への電流の発生）を計測するために、検流計Ｇを導電体１２と電圧源１５との間の電路に実装するとよい。電圧は、機械的な放電を起こす電圧の範囲を調べるために変更される。明らかに、機械的な放電による定格電流は５．７ｋＶ以上で発生し、電圧がそれ以上に印加されると大きくなる。これらの結果から、本願発明者等は、すべての害虫を捕捉するに十分強い力を生成する範囲を決定するために０．５〜５．６ｋＶの電圧を使用した。その結果、電場内の害虫は、携帯型害虫誘引捕捉装置１の誘電被覆体１１の近辺に誘引される。なお、アースレス構造については、実施例２で説明する。
【００２４】
なお、ここでは、誘電被覆体１１は負極として負極誘電被覆体としたが、その極性を逆にして、正極誘導被覆体とする構成も可能である。極性を入れ替える点以外は同じ原理であるので、極性が逆の構成の説明は省略する。
【００２５】
実施例１において、本願発明者等は、温室内に放逐された異なる体長の成虫の害虫を捕捉する能力を調べた。検定に使用される害虫は、コナジラミ、ミカンキイロアザミウマ、モモアカアブラムシ、ミギワバエとした。表１は、異なる正負の電圧（０．５〜５．６ｋＶ）で携帯型害虫誘引捕捉装置１により捕捉された害虫の割合を百分率で示している。携帯型害虫誘引捕捉装置１による害虫捕捉性能を確認するために、本願発明者等は、温室内に送風装置（誘電被覆体１１に対する最大風速７ｍ/ｓ）を設置し、１０分間、携帯型害虫誘引捕捉装置１に捕捉されている害虫に送風した。実験は５回繰り返され、データは標準偏差に従って存在している。なお、データ間の重要な相違点（ａ、ｂ、ｃ）は、テューキー法を使用して分析した。
【表１】
2016220629.tif 000003
前述したとおり、携帯型害虫誘引捕捉装置１がすべての検定用害虫を捕捉できる電圧帯を決定するために、携帯型害虫誘引捕捉装置１に対して０．５〜５．６ｋＶの電圧を印加して実験をおこなった。これら害虫の成虫は、害虫吸引装置でポット耕のトマト（生育１ヶ月）の背軸表面に放たれたものである。
図５を参照する。図５は、本発明の携帯型害虫誘引捕捉装置１の使用方法を簡単に示す図である。図５に示すように、携帯型害虫誘引捕捉装置１をトマトの葉に沿って優しくスライドさせて行くことにより放逐された害虫の捕捉を試みる。ここでは、１０匹から７匹の成虫を用いた。害虫の種ごと及び電圧のきざみごとに試した。
図６を参照する。図６は、本発明の携帯型害虫誘引捕捉装置１の使用において、害虫が当該装置に誘引捕捉される様子を示す図である。誘電被覆体１１を通電すると、その周囲に静電場が形成される。図６においては、図に向かって導電体１２の孔と誘電被覆体１１との間に静的電場が形成される。図５に示したように携帯型害虫誘引捕捉装置１をトマトの葉に沿って優しくスライドさせることにより、導電体１２に触れた害虫は静電場及び静的電場に誘引され、導体１２又は誘電被覆体１１に捕捉される。
より体長の大きな害虫を捕捉するためには、より強力に誘電被覆体１１を帯電させる必要があるが、誘電被覆体１１に印加される電圧を高くすることで捕捉力はより強くなる。同時に、似たような体長の三種の害虫（コナジラミ、ミカンキイロアザミウマ、モモアカアブラムシ）の間での捕捉率に大きな違いはなかった。１．５ｋＶ以上の電圧は、害虫の体長や種類と関係なく、誘電被覆体１１がすべての成虫を捕捉する強さとして十分である。また、現場での実証を通じて、風速７ｍ/ｓであっても害虫を捕捉するために十分な強さであることが分かった。これらの結果、１．５ｋＶ以上で印加された携帯型害虫誘引捕捉装置１であれば、実際のハウス内での環境において上述したすべての害虫を駆除することができたことを示している。
しかしながら、比較的低い電圧を印加した場合は、発生する静電力は害虫、例えば、脚をばたばたさせたり、体をくねらせたりするような虫を捕捉するには不十分であった。これらの害虫は誘電被覆体１１から逃れるか、さもなければ、送風装置によって誘電被覆体１１から吹き飛ばされた。これらの観察をもとに、以降の実験（ここでは示さない。）では、より確実に害虫を捕捉するために携帯型害虫誘引捕捉装置１に対して１．５ｋＶの電圧を印加することとする。
【００２６】
従来のＳＤスクリーンにおいて、誘電被覆体は両面が接地された金属製ネットを備え、電圧源のコッククロフト回路を介して生成される高電圧が正負の電極を形成するために使用される。誘電被覆体は大地から引き上げられた電子の追加によってマイナスに電荷され、他方、金属製ネットは金属内の電子（自由電子）を大地に押し出すことによってプラスに電荷される。発明者らは最近の研究において、金属製ネットの電子を誘電被覆体に運ぶために両者間に電圧を印加する構成が有効であることを確認している。この構成では、誘電被覆体と金属製ネットとは反対の極性となり、電場がその間に形成される。
【００２７】
従来のＳＤスクリーンを改良した携帯型害虫誘引捕捉装置１の最も重要なポイントは、電圧源１５と網状の導電体１２の両方からの接地線を除去したことであり、持ち運びができる装置を実現させたことにある。誘電被覆体１１内に対する電流は、電極に印加される電圧、電極間の距離、誘電被覆体１１を被覆する絶縁体の絶縁抵抗に依存する。絶縁された導体からの電流は、絶縁体の誘電率レベルを決める所定の電圧における絶縁抵抗に依存する。また、電流は距離に反比例する。
【実施例２】
【００２８】
実施例２に係る携帯型害虫誘引捕捉装置２は、外観がいわゆるアイロン型の形状としている。以下、図面に基づき説明する。図２は、実施形態１の変形形態である携帯型害虫誘引捕捉装置２の組立後の外観構成を示す斜視図で、図２は、外観構成を簡単に示す分解斜視図である。携帯型害虫誘引捕捉装置２は、概して、本体２０と、本体２０の底内部に配置された一枚の誘電被覆体２１と、誘電被覆体２１に対して所定の間隔を維持して対向するように配設された網状の導電体２２と、電圧源２５と、把手２４とから構成される。本体２０は、携帯型害虫誘引捕捉装置２の外装部分であり、誘電被覆体２１と導電体２２と電圧源２５を内蔵する収納体であって、把手２４を備えている。
誘電被覆体２１は所望の形状の平板であり、負極端子に接続して形成した負極導電体について少なくともその一部の表面を絶縁体で被覆したものとなっている。
導電体２２は、誘電被覆体２１からの電界を受けて帯電する。
また、所定の間隔を維持するためスペーサ２３を上記所定の間隔に配設してもよい。
また、負極端子に負電位を与える負電圧印加手段を備え、対向し合う正電位の導電体と負電位の誘電被覆体との間に電位差により連続した電場を形成し、かつ、導電体と負電圧印加手段の高電位側端子とを接続する接続線を設けたアースレス構造を備えることを特徴とする。
【００２９】
誘電被覆体２１は、鉄製板にポリ塩化ビニルが被覆されている。なお、これに限定されず、誘電被覆体１１は、基体としての鉄、銅、アルミニウム、又はステンレスに、絶縁体、例えば、ポリエチレン、塩化ビニル、アクリル、ナイロン、又はポリスチレンを被覆するとよい。以下、実施例１に記載した説明と同じであるので、省略する。
【００３０】
図９を参照する。図９は、本発明の携帯型害虫誘引捕捉装置２の電気回路を含めた基本的構成を簡単に示す図である。この例では直流型昇圧器２７の出力端子は負電圧であり、誘電被覆体２１に対して負電圧を印加し、誘電被覆体２１を負電位に帯電する。
導体２２は、電荷を汲み上げる導電体であり、一種のアース相当部材であり、この導電体２２を利用することにより、アース無接地回路６０を通じて電子を負電圧印加装置２７側に供給することができ、負電圧印加装置２７は電荷放出作用を実行することができる。つまり、静電キャッチャー自体は負電極のみの単極であるが、装置全体としては電荷バランスが取れている。
導電体２２から汲み出された電子を、アース無接地回路６０（点線で示している）の接続線６１を介して負電圧印加装置２７側に移動させる構造となっている。つまり、大地を介することなく、導電体２２から汲み出した電子を、そのまま、負電圧印加装置２７側を介して、誘電被覆体２１側に移動させて付与するため、アース電極を介した電子移動が不要となる。
【００３１】
図１０を参照する。図１０は、本発明の携帯型害虫誘引捕捉装置２の使用方法を簡単に示す図である。また、図１１は、本発明の携帯型害虫誘引捕捉装置２の使用において、害虫が当該装置に誘引捕捉する様子を示す図である。図１０に示すように、放逐された害虫を捕捉するために、携帯型害虫誘引捕捉装置２をトマトの葉に沿ってアイロンをかけるがごとく優しくスライドさせることにより行う。
図１１を参照する。誘電被覆体２１を通電すると、その周囲に静電場が形成される。図１１においては、図に向かって導電体２２の孔と誘電被覆体２１との間に静的電場が形成され、携帯型害虫誘引捕捉装置２をトマトの葉に沿って優しくスライドさせることにより、導電体２２に触れた害虫は静電場及び静的電場に誘引され、導体２２又は誘電被覆体２１に捕捉される。
【００３２】
以上、本発明の携帯型害虫誘引捕捉装置の実施例を説明してきたが、本発明の技術的範囲を逸脱することなく種々の変更が可能であることは理解されるであろう。
【産業上の利用可能性】
【００３３】
本発明は、大学や公的機関の温室、農業用ビニールハウスの携帯型害虫誘引捕捉装置として利用できるほか、一般家庭等のふとんなどにおいて、ダニ等の害虫やカビ胞子などの誘引捕捉を行うことができる。
【符号の説明】
【００３４】
１  ２  携帯型害虫誘引捕捉装置
１０  筒状体
１１  ２１  誘電被覆体
１２  ２２  導体
１３  ２３  空間ギャップ
１４  ２４  スペーサ
１５  ２５  把手
１６  ２６  電圧源
１７  ２７  電圧印加装置
１８  １９  シールキャップ
２０  本体
２８  シール枠体
６０  アース無接地回路
【図１】
2016220629.tif 000004
【図２】
2016220629.tif 000005
【図３】
2016220629.tif 000006
【図４】
2016220629.tif 000007
【図５】
2016220629.tif 000008
【図６】
2016220629.tif 000009
【図７】
2016220629.tif 000010
【図８】
2016220629.tif 000011
【図９】
2016220629.tif 000012
【図１０】
2016220629.tif 000013
【図１１】
2016220629.tif 000014
【図１２】
2016220629.tif 000015
【図１３】
2016220629.tif 000016